(57)【要約】【課題】  端子の耐用性を向上し、電気コネクターの接続信頼性を高める。【解決手段】  繋ぎ部は、第１のベース部の第２の開口向き端縁から第２の開口に向かって延びる第１の連結部と、該第１の連結部より第１の開口側に曲げて第１のベース部と所定間隔をおいてほぼ横向きに形成される第１の横アーム部と、第１と第２の突出部にそれぞれ第１と第２の間隔をおくように該第１の横アーム部より連続して第２の突出部に向かって延びる縦アーム部と、その第１の端部として該縦アーム部の第２の突出部と向き合う端部から屈曲して第２のベース部と第３の間隔をおいて屈曲形成された屈曲アーム部と、該屈曲アーム部の第２の開口に向き合う端部から一体連続して第２のベース部の他の先端に接続される第２の連結部とからなっている。【選択図】図１
2008047417.tif 000002
【特許請求の範囲】
【請求項１】
その中空胴部を有する筐体に該胴部の長手方向両端の端部に第１、２の開口がそれぞれ外部に向けて形成された電気コネクターの胴部内に、前記第１の開口から前記第２の開口に向かって長手沿いに保持される端子であって、
その第１の開口より外部へ延びる第１の接触部を前記第１の開口に臨んで保持される第１のベース部を前記第１の開口に嵌挿し、
前記第１のベース部の前記胴部内側の側縁からタブ状の第１の突出部を前記第２の開口に突設し、
前記第１のベース部と繋ぎ部を介して連結されると共に、前記第２の開口に向かって同一平面上形成される第２のベース部が前記第２の開口に臨んで保持され、
前記第２のベース部の前記第２の開口向き端縁から第２の接触部が同一平面に延伸して前記第２の開口を通って外部に突出し、
前記第２のベース部は、前記第１の開口向き端縁から第２の突出部が前記第１の突出部に対応して前記第１の開口に向かって突設され、
前記繋ぎ部は、
前記第１のベース部の前記第２の開口向き端縁から前記第２の開口に向かって延びる第１の連結部と、
該第１の連結部より前記第１の開口側に曲げて前記第１のベース部と所定間隔をおいてほぼ横向きに形成される第１の横アーム部と、
前記第１と第２の突出部にそれぞれ第１と第２の間隔をおくように該第１の横アーム部より連続して前記第２の突出部に向かって延びる縦アーム部と、
その第１の端部として該縦アーム部の前記第２の突出部と向き合う端部から屈曲して第２のベース部と第３の間隔をおいて屈曲形成された屈曲アーム部と、
該屈曲アーム部の前記第２の開口に向き合う端部から一体連続して前記第２のベース部の他の先端に接続される第２の連結部とからなっている
ことを特徴とする電気コネクター用端子。
【請求項２】
上記電気コネクター用端子が、前記屈曲アーム部を、U字形を呈しその一端部が前記縦アーム部の前記第２の突出部側端部に接続される第１の屈曲部と、U字形を呈しその一端部が前記第１の屈曲部の他端部に接続される第２の屈曲部とでS字形になるように形成することを特徴とする請求項１に記載の端子。
【請求項３】
前記第３の間隔は、前記第１または前記第２の間隔より小であることを特徴とする請求項１に記載の端子。
【請求項４】
前記第１の間隔は、前記第２の間隔と等しいであることを特徴とする請求項３に記載の端子。
【請求項５】
胴部は中空状をすると共に、長手方向の両側端面に第１、第２の開口がそれぞれ外部に向けて形成されている電気コネクターにおいて、
前記胴部内に前記第１の開口から前記第２の開口にわたる長さに形成された複数の板状端子を規則的間隔に並列してなり、
板状端子は、
その第１の開口より外部へ延びる第１の接触部を前記第１の開口に臨んで保持される第１のベース部を前記第１の開口に嵌挿し、
前記第１のベース部の前記胴部内側の側縁からタブ状の第１の突出部を前記第２の開口に突設し、
前記第１のベース部と繋ぎ部を介して連結されると共に、前記第２の開口に向かって同一平面上形成される第２のベース部が前記第２の開口に臨んで保持され、
前記第２のベース部の前記第２の開口向き端縁から第２の接触部が同一平面に延伸して前記第２の開口を通って外部に突出し、
前記第２のベース部は、前記第１の開口向き端縁から第２の突出部が前記第１の突出部に対応して前記第１の開口に向かって突設され、
前記繋ぎ部は、
前記第１のベース部の前記第２の開口向き端縁から前記第２の開口に向かって延びる第１の連結部と、
該第１の連結部より前記第１の開口側に曲げて前記第１のベース部と所定間隔をおいてほぼ横向きに形成される第１の横アーム部と、
前記第１と第２の突出部にそれぞれ第１と第２の間隔をおくように該第１の横アーム部より連続して前記第２の突出部に向かって延びる縦アーム部と、
その第１の端部として該縦アーム部の前記第２の突出部と向き合う端部から屈曲して第２のベース部と第３の間隔をおいて屈曲形成された屈曲アーム部と、
該屈曲アーム部の前記第２の開口に向き合う端部から一体連続して前記第２のベース部の他の先端に接続される第２の連結部とからなっていることを特徴とする電気コネクター。
【発明の詳細な説明】
【技術分野】
【０００１】
本発明は、電気コネクター用端子及び電気コネクターに関し、特に電気コネクターの筐体内に端子を収容するとき端子の変形を防止することができる電気コネクターに関する。
【背景技術】
【０００２】
図５は、従来の電気コネクター用端子例を示す正面図、図６はこの端子を複数並設した従来電気コネクター例を示す斜視図である。図示のごとく、端子１は、合金薄板からなり、２接点間を電気的につなぐべく、一端がベース部１１から延伸して一方の接点とつなぐ第１の接触部１３が形成され、他端は他方の接点とつなぐ第２の接触部１４として延伸され、そして多重のS字形曲折した繋ぎ部１５を介してベース部１１と連接してなる。
【０００３】
複数の端子１は、一定間隔を開けて互いにフック状第１の接触部１３をそろえて中空状胴部を有している絶縁筐体２１の一端面より伸出させ、ベース部１１と繋ぎ部１５を同筐体２１内に挟持させ、細条状第２の接触部１４を筐体２１他端面より伸出させて電気コネクター２を構成している。
【発明の開示】
【発明が解決しようとする課題】
【０００４】
この従来の端子１では、多重の曲折が連続して繰り返す形状を有する繋ぎ部１５によりばね性を付与することができるが、複数端子1、1、・・・をコネクター２内に取り付けるとき、少しでも長手の外力Fが曲折状繋ぎ部１５にかかると、各繋ぎ部１５全体を同一平面に保持できず隣接同士がからまり合う虞があり、元になかなか復元できない問題点がある。
【０００５】
本発明は、上記問題点を解消しようとするもので、端子を電気コネクターの筐体内に収容するとき端子が変形してからまり合うことを防止することができる電気コネクター用端子及び電気コネクターを提供することを目的とする。
【課題を解決するための手段】
【０００６】
上記目的を達成すべく、本発明の電気コネクター用端子は、その中空胴部を有する筐体に該胴部の長手方向両端の端部に第１、２の開口がそれぞれ外部に向けて形成された電気コネクターの胴部内に、第１の開口から第２の開口に向かって長手沿いに保持される端子であって、その第１の開口より外部へ延びる第１の接触部を第１の開口に臨んで保持される第１のベース部を第１の開口に嵌挿し、第１のベース部の胴部内側の側縁からタブ状の第１の突出部を第２の開口に突設し、第１のベース部と繋ぎ部を介して連結されると共に、第２の開口に向かって同一平面上形成される第２のベース部が第２の開口に臨んで保持され、第２のベース部の第２の開口向き端縁から第２の接触部が同一平面に延伸して第２の開口を通って外部に突出し、第２のベース部は、第１の開口向き端縁から第２の突出部が第１の突出部に対応して第１の開口に向かって突設され、繋ぎ部は、第１のベース部の第２の開口向き端縁から第２の開口に向かって延びる第１の連結部と、該第１の連結部より第１の開口側に曲げて第１のベース部と所定間隔をおいてほぼ横向きに形成される第１の横アーム部と、第１と第２の突出部にそれぞれ第１と第２の間隔をおくように該第１の横アーム部より連続して第２の突出部に向かって延びる縦アーム部と、その第１の端部として該縦アーム部の第２の突出部と向き合う端部から屈曲して第２のベース部と第３の間隔をおいて屈曲形成された屈曲アーム部と、該屈曲アーム部の第２の開口に向き合う端部から一体連続して第２のベース部の他の先端に接続される第２の連結部とからなっていることを特徴とする構成とする。
【０００７】
本発明はまた、上記電気コネクター用端子が、屈曲アーム部を、U字形を呈しその一端部が縦アーム部の第２の突出部側端部に接続される第１の屈曲部と、U字形を呈しその一端部が第１の屈曲部の他端部に接続される第２の屈曲部とでS字形になるように形成することができる。
【０００８】
前記構成では、第３の間隔は、第１または第２の間隔より小であることが好ましい。さらに、第１の間隔は、第２の間隔と等しいようにすることが好ましい。
【０００９】
また、本発明によれば、胴部は中空状をすると共に、長手方向の両側端面に第１、第２の開口がそれぞれ外部に向けて形成され、胴部内に第１の開口から第２の開口にわたる長さに形成された複数の板状端子を規則的間隔に並列してなる電気コネクターにおいて、端子として、その第１の開口より外部へ延びる第１の接触部を第１の開口に臨んで保持される第１のベース部を第１の開口に嵌挿し、第１のベース部の胴部内側の側縁からタブ状の第１の突出部を第２の開口に突設し、第１のベース部と繋ぎ部を介して連結されると共に、第２の開口に向かって同一平面上形成される第２のベース部が第２の開口に臨んで保持され、第２のベース部の第２の開口向き端縁から第２の接触部が同一平面に延伸して第２の開口を通って外部に突出し、第２のベース部は、第１の開口向き端縁から第２の突出部が第１の突出部に対応して第１の開口に向かって突設され、繋ぎ部は、第１のベース部の第２の開口向き端縁から第２の開口に向かって延びる第１の連結部と、該第１の連結部より第１の開口側に曲げて第１のベース部と所定間隔をおいてほぼ横向きに形成される第１の横アーム部と、第１と第２の突出部にそれぞれ第１と第２の間隔をおくように該第１の横アーム部より連続して第２の突出部に向かって延びる縦アーム部と、その第１の端部として該縦アーム部の第２の突出部と向き合う端部から屈曲して第２のベース部と第３の間隔をおいて屈曲形成された屈曲アーム部と、該屈曲アーム部の第２の開口に向き合う端部から一体連続して第２のベース部の他の先端に接続される第２の連結部とからなっていることを構成とする。
【発明の効果】
【００１０】
本発明によれば、屈曲する繋ぎ部により従来の端子と同様にばね性を付与することができる。縦アーム部の第１の開口側端部が第１の突出部に対向すると共に、第２の開口側端部が第２の突出部に対向するように設けたことにより、端子を筐体内胴部に取り付けるとき、第１及び第２の接触部より押圧して第３の間隔と第２又は第１の間隔を縮めると共に、縦アーム部の両端が第１と第２の突出部とほぼ当接させることができ、屈曲アーム部が重なってからまることなく、端子の形状を大幅に変形させずに同一平面に保持することができ、端子の耐用性が向上し、電気コネクターの接続信頼性を高めることができる。
【発明を実施するための最良の形態】
【００１１】
以下、この発明の好適な実施例を、図面を参照して説明する。
【００１２】
図1は、本発明にかかる電気コネクター用端子例の正面図である。図2は、図1の端子を複数取付けた電気コネクターの斜視図である。
【００１３】
本発明の電気コネクター4は、胴部42が中空状をする筐体41の長手方向の両側端面に第１、第２の開口43、44がそれぞれ外部に向けて形成され、胴部42内に第１の開口43から第２の開口44にわたる長さに形成された複数の板状端子3、3、・・・を規則的間隔に並列してなる。なお、胴部42内には符号で明示しない仕切りが複数並設されてある。
【００１４】
板状端子3は、電気コネクター4の胴部42内に、第１の開口43から第２の開口44に向かって長手沿いに保持される端子であって、その第１の開口43より外部へ延びるフック状第１の接触部7を第１の開口43に臨んで保持される第１のベース部5を第１の開口43に嵌挿し、第１のベース部5の胴部42内側の側縁55からタブ状の第１の突出部52を第２の開口44に突設し、第１のベース部5と繋ぎ部9を介して連結されると共に、第２の開口44に向かって同一平面上形成される第２のベース部6が第２の開口44に臨んで保持され、第２のベース部6の第２の開口44向き端縁64から細条状第２の接触部8が同一平面に延伸して第２の開口44を通って外部に突出している。第２のベース部6は、第１の開口43向き端縁65から第２の突出部62が第１の突出部52に対応して第１の開口43に向かって突設されている。なお、第１のベース部５は第１の開口43から脱離不能に両側から横耳53、53が突設されている。
【００１５】
繋ぎ部9は、第１のベース部5の第２の開口44向き端縁55から第２の開口44に向かって延びる第１の連結部51と、該第１の連結部51より第１の開口43側に曲げて第１のベース部5と所定間隔をおいてほぼ横向きに形成される第１の横アーム部94と、第１と第２の突出部52、62にそれぞれ第１の間隔D１と第２の間隔D２をおくように該第１の横アーム部94より連続して第２の突出部62に向かって延びる縦アーム部91と、その第１の端部として該縦アーム部91の第２の突出部62と向き合う端部912から屈曲して第２のベース部6と第３の間隔D3をおいて屈曲形成された屈曲アーム部92と、該屈曲アーム部92の第２の開口44に向き合う端部912から一体連続して第２のベース部6の他の先端に接続される第２の連結部61とからなっている。
【００１６】
この例では、屈曲アーム部92は、U字形を呈しその一端部921が縦アーム部91の第２の突出部62側端部912に接続される第１の屈曲部923と、U字形を呈しその一端部が第１の屈曲部923の他端部に接続される第２の屈曲部922とでS字形になるように形成することができる。
【００１７】
また、この例では、第３の間隔D3は、第１の間隔D1または第２の間隔D2より小であることが好ましい。さらに、第１の間隔D１は、第２の間隔D2と等しいようにすることが好ましい。
【００１８】
図３はこの端子を圧縮した状態の正面図である。図４は図３の状態よりさらに圧縮した状態を示す図である。
【００１９】
図示のように、端子3を胴部42内に取り付けるとき、第１の接触部7及び第２の接触部8より押圧して第３の間隔D3又は第２の間隔D2を縮めて縦アーム部91の端部912が第２の突出部62と当接する。さらに第１の間隔D1を縮めて、縦アーム部91の端部911が第１の突出部52とほぼ当接させることができる。したがって、屈曲アーム部92が重なってからまることなく、端子3の形状を大幅に変形させずに同一平面に保持することができ、端子3の耐用性が向上し、電気コネクター4の接続信頼性を高めることができる。
【産業上の利用可能性】
【００２０】
本発明の電気コネクター用端子によれば、電気接触を良好に保持するようにする電気コネクター用端子に有用である。
【図面の簡単な説明】
【００２１】
【図１】本発明にかかる電気コネクター用端子例の正面図である。
【図２】図１の端子を複数取付けた電気コネクターの斜視図である。
【図３】図１の端子を圧縮した状態の正面図である。
【図４】図３の状態よりさらに圧縮した状態を示す図である。
【図５】従来の電気コネクター用端子例の正面図である。
【図６】従来の端子を複数取付けた電気コネクターの斜視図である。
【符号の説明】
【００２２】
3…電気コネクター用端子
4…電気コネクター
41…筐体
42…胴部
43、44…開口
5…第１のベース部
51…第１の連結部
52…第１の突出部
53…横耳
55、64、65…端縁
6…第２のベース部
61…第２の連結部
62…第２の突出部
7…第１の接触部
8…第２の接触部
9…繋ぎ部
91…縦アーム部
911、912…端部
92…屈曲アーム部
921…端部
922…第２の屈曲部
923…第１の屈曲部
94…第１の横アーム部
D1、D２、D３…間隔
【図１】
2008047417.tif 000003
【図２】
2008047417.tif 000004
【図３】
2008047417.tif 000005
【図４】
2008047417.tif 000006
【図５】
2008047417.tif 000007
【図６】
2008047417.tif 000008